(57)【要約】【課題】枠体から扉に電線を配線する部分のコストが安く、簡単に電線を枠体から扉まで配線することができる建具とする。【解決手段】枠体１の吊元側の縦枠１２と扉２の空洞部２ａとに亘ってフレキシブル管２０が配設され、このフレキシブル管２０の長手方向一端部２０ａが前記縦枠１２から突出し、長手方向他端寄りが扉２の空洞部２ａに長手方向に移動可能に突出しており、前記フレキシブル管２０を通して電線７が縦枠１２側から扉２の空洞部２ａまで挿通して配線され、その電線７が電気機器に接続している建具であり、枠体１から扉２に電線７を配線する部分がフレキシブル管２０のみであるからコストが安く、そのフレキシブル管２０をガイドとして電線７を枠体１から扉２まで簡単に配線することができる。【選択図】図２
2008208637.tif 000002
【特許請求の範囲】
【請求項１】
枠体に扉をヒンジで開閉自在に取付け、その扉に電気機器を取付けた建具であって、
前記枠体の吊元側の縦枠と、扉の空洞部とに亘ってフレキシブル管が、その長手方向一端部が前記縦枠から建物躯体側に突出し、かつ長手方向他端寄りが前記扉の空洞部に対して長手方向に移動可能に配設してあり、
前記フレキシブル管に電線が挿通され、その電線が前記電気機器に接続してあることを特徴とする建具。
【請求項２】
フレキシブル管の長手方向一端部は、縦枠の第１穴から建物躯体側に突出し、そのフレキシブル管の長手方向他端寄りは、縦枠の扉対向縦板に形成した第２穴、扉の吊元側縦板に形成した第３穴を通して扉の空洞部に突出するようにした請求項１記載の建具。
【請求項３】
扉は親扉と子扉を備え、その子扉に電気機器が取付けてあり、
前記子扉の空洞部と、吊元側の縦枠とに亘ってフレキシブル管を配設し、
前記子扉を枠体に固定、固定解除する固定手段を設けた請求項１又は２記載の建具。
【請求項４】
枠体に扉を開閉自在に取付けた建具を建物躯体に取付けると共に、前記枠体の吊元側の縦枠と扉の空洞部に亘ってフレキシブル管を配設し、
この後に、前記フレキシブル管をガイドとして電線を、建物躯体側から扉の空洞部まで挿入し、その電線を電気機器に接続するようにしたことを特徴とする建具の配線方法。
【発明の詳細な説明】
【技術分野】
【０００１】
本発明は、玄関ドアなどの枠体に扉をヒンジで開閉自在に取付けた建具、及びその建具における枠体から扉に電線を配線する配線方法に関する。
【背景技術】
【０００２】
従来、扉に電気錠、インターフォン、照明などの電気機器を取付けしたドアが種々提案されている。
前述したドアにあっては、枠体から扉に電線を配線し、その電線を電気器具に接続することが行われている。
例えば、特許文献１に開示したように、枠体の吊元側框と扉の吊元側框に亘って、パイプ状のスライド部材を伸縮自在とした中間金具を取付け、この中間金具の中空部分に電線を通すことで枠体から扉に配線するようにしたドアが提案されている。
【特許文献１】特開２００１−２０７７１７号公報
【発明の開示】
【発明が解決しようとする課題】
【０００３】
前述した従来のドアにおける中間金具は、複数の円弧形状のスライド部材を扉の開閉に追従してスライドするように順次挿入して組み合わせたもので、形状が複雑であるし部品点数が多く、枠体からドアに電線を配線する部分のコストが高い。
また、中間金具は前述のように複雑形状で部品点数が多いので、その中間金具を枠体と扉に亘って取付けた状態で、その中空部に電線を通す作業がやりづらい。
【０００４】
本発明の目的は、枠体から扉に電線を配線する部分のコストが安く、枠体から扉に電線を簡単に配線することができる建具及びその建具の配線方法とすることである。
【課題を解決するための手段】
【０００５】
本発明の建具は、枠体に扉をヒンジで開閉自在に取付け、その扉に電気機器を取付けた建具であって、
前記枠体の吊元側の縦枠と、扉の空洞部とに亘ってフレキシブル管が、その長手方向一端部が前記縦枠から建物躯体側に突出し、かつ長手方向他端寄りが前記扉の空洞部に対して長手方向に移動可能に配設してあり、
前記フレキシブル管に電線が挿通され、その電線が前記電気機器に接続してあることを特徴とする建具である。
【０００６】
本発明の建具においては、フレキシブル管の長手方向一端部は、縦枠の第１穴から建物躯体側に突出し、そのフレキシブル管の長手方向他端寄りは、縦枠の扉対向縦板に形成した第２穴、扉の吊元側縦板に形成した第３穴を通して扉の空洞部に突出するようにできる。
このようにすれば、フレキシブル管を縦枠から扉の空洞部まで簡単に配設できるし、そのフレキシブル管を通して電線を簡単に扉の空洞部まで挿入できる。
【０００７】
本発明の建具においては、扉は親扉と子扉を備え、その子扉に電気機器が取付けてあり、
前記子扉の空洞部と、吊元側の縦枠とに亘ってフレキシブル管を配設し、
前記子扉を枠体に固定、固定解除する固定手段を設けることができる。
このようにすれば、子扉を開閉する頻度が少ないから、その子扉と縦枠に亘って配設したフレキシブル管、電線の耐久性が向上する。
また、子扉を枠体に固定されるので、電気機器として電気錠を用いた場合に、その電気錠で親扉を確実に施錠できる。
【０００８】
本発明の建具の配線方法は、枠体に扉を開閉自在に取付けた建具を建物躯体に取付けると共に、前記枠体の吊元側の縦枠と扉の空洞部に亘ってフレキシブル管を配設し、
この後に、前記フレキシブル管をガイドとして電線を、建物躯体側から扉の空洞部まで挿入し、その電線を電気機器に接続するようにしたことを特徴とする建具の配線方法であ
る。
【発明の効果】
【０００９】
本発明の建具によれば、縦枠と扉の空洞部に亘って配設したフレキシブル管を通して電線を枠体から扉の空洞部まで配線することができるので、その枠体から扉に電線を配線する部分はフレキシブル管だけで良く、その部分のコストが安い。
また、フレキシブル管をガイドとして電線を扉の空洞部までスムーズに挿入できるから、枠体から扉に電線を簡単に配線することができる。
【００１０】
本発明の建具の配線方法によれば、建具の取付け作業、フレキシブル管の配設の作業と、電線の配線作業を時期をずらして行うことができるので、建具の取付け作業、フレキシブル管の配設作業を行う作業者と配線作業を行う作業者が異なる場合に有利である。
特に、電線がＡＣ１００Ｖ電源線で電気工事士の資格を有する者が配線作業する必要がある場合に有利である。
【発明を実施するための最良の形態】
【００１１】
図１に示すように、枠体１に扉２をヒンジ３で閉じ位置と開き位置とに亘って開閉自在に取付けて建具としてある。前記ヒンジ３は上下・左右には動かないが回転は自由であるもので、ピボットピン、丁番等である。
前記扉２には電気機器、例えば照明４、インターフォン５、電気錠６等が取付けてある。
この電気機器には枠体１から電線、例えば照明用電線７、インターフォン用電線８、電気錠用電線９がそれぞれ接続されている。
前記枠体１は上枠１０と下枠１１と左右の縦枠１２を方形状に連結してある。
【００１２】
次に、前記照明用電線７の配線について図２、図３、図４に基づいて説明する。
前記吊元側の縦枠１２と扉２とに亘ってフレキシブル管２０が配設してある。
このフレキシブル管２０の長手方向一端部２０ａは、前記縦枠１２から枠体１を取付ける建物躯体１３側に突出し、長手方向他端部２０ｂは扉２の空洞部２ａ内に突出している。前記フレキシブル管２０は、柔軟な融通のきくものである。
【００１３】
例えば、フレキシブル管２０の長手方向一端部２０ａは、前記縦枠１２の中空部１２ａ内より室内側縦板１２ｂに形成した第１穴２１より建物躯体１３側に突出している。
そのフレキシブル管２０の長手方向他端部２０ｂは、縦枠１２の扉対向縦板１２ｃに形成した第２穴２２、扉２の吊元側縦板２ｂに形成した第３穴２３から扉２の空洞部２ａ内に突出している。
前記縦枠１２の扉対向縦板１２ｃは、扉２の吊元側縦板２ｂと対向する縦板で、前記第２穴２２と第３穴２３は扉２が閉じ状態の時に相対向する。
この実施の形態では前記第２穴２２、第３穴２３には筒状のブッシュ２４がそれぞれ嵌め込んで取付け、その第２穴２２、第３穴２３が見えないようにしてある。
そして、この各ブッシュ２４内にフレキシブル管２０が挿通してある。
【００１４】
前記フレキシブル管２０は縦枠１２、扉２の空洞部２ａに対して長手方向に移動可能である。なお、フレキシブル管２０は縦枠１２に長手方向に移動しないように保持し、扉２の空洞部２ａに対して長手方向に移動可能としても良い。
要するに、フレキシブル管２０は少なくとも扉２の空洞部２ａに対して長手方向に移動可能である。
前記扉２が閉じ位置の時には、前記フレキシブル管２０の縦枠１２の扉対向縦板１２ｃから突出した長手方向中間部分２０ｃと長手方向他端部２０ｂ（長手方向他端寄り）は、図２に実線で示すように、ほぼ直線状となって扉２の空洞部２ａ内に入り込んでいる。
前記扉２を閉じ位置から開き位置に向けて開放動作すると、前記フレキシブル管２０の長手方向中間部分２０ｃは円弧状に湾曲しながら扉２の空洞部２ａから順次相対的に抜け出し、図２に仮想線で示すように縦枠１２と扉２との間で円弧状に湾曲している。
【００１５】
前記扉２が全開位置の時にはフレキシブル管２０の長手方向他端部２０ｂは扉２の空洞部２ａ内に入り込んでいる。
これにより、全開位置の扉２を閉じ位置に向けて回動して閉じ動作すると、フレキシブル管２０の長手方向中間部分２０ｃが扉２の空洞部２ａ内に相対的に順次入り込む。
【００１６】
前記照明用電線７は、前述のフレキシブル管２０内に挿通して設けてあり、その照明用電線７の一端部は建物躯体１３側に設けた図示しない電源に接続され、他端部が照明４に接続してある。
このようであるから、建具を建物躯体１３に取付けた状態で、その照明用電線７を、フレキシブル管２０の長手方向一端部２０ａから挿入し、そのフレキシブル管２０をガイドとして縦枠１３から扉２の空洞部２ａまでスムーズに挿入することができる。
したがって、枠体１から扉２に照明用電線７を簡単に配線することができる。
【００１７】
また、扉２を図２に実線で示すように閉じ位置（全閉位置）とした閉じた状態で、フレキシブル管２０の長手方向他端寄り（中間部分２０ｃと他端部２０ｂ）は扉２の空洞部２ａ内にほぼ直線状に挿入されているから、前記照明用電線７を建物躯体１３側からフレキシブル管２０を通して扉２の空洞部２ａまでより一層スムーズに挿入できる。
また、扉２を図２に仮想線で示すように開き位置とした開き状態でも前述と同様に照明用電線７をフレキシブル管２０を通して扉２の空洞部２ａまで挿入できる。
【００１８】
前記インターフォン用電線８、電気錠用電線９は、前述の照明用電線７のフレキシブル管２０とは別のフレキシブル管を通して枠体１から扉２の空洞部２ａまで挿入してインターフォン５，電気錠６にそれぞれ接続される。
つまり、各電線を１つのフレキシブル管２０を通して扉２の空洞部２ａまで挿入してもよいが、照明４とインターフォン５、電気錠６が上下方向に離隔していることと、及び照明用電線７は強電圧電源線、例えば、ＡＣ１００Ｖ電源線で、インターフォン用電線８、電気錠用電線９は低電圧電源線であることから別々のフレキシブル管を通すようにしてある。
【００１９】
前記インターフォン用電源８、電気錠用電線９はフレキシブル管を用いずに、一般的に知られている通電金具と呼ばれるものを用いて縦枠１２と扉２とに亘って配線しても良い。
すなわち、照明用電線７がＡＣ１００Ｖ電源線であると、電気工事士の資格を有した者でなければ配線作業できないので、建具を建物躯体１３に取付けた後に配線作業できるようにすることが好ましいから前述のようにフレキシブル管２０を用いる。
これに対して、インターフォン用電線８、電気錠用電線９は低電圧電源で、特別な資格を有しない建具を取付ける作業者でも配線作業できるから、建具の取付け作業時に配線することが可能であるから、フレキシブル管２０を用いなくとも良い。
【００２０】
この実施の形態の扉２は、親扉２−１と子扉２−２を備え、それぞれの吊元側部２−１ａ、２−２ａが左右の縦枠１２にヒンジ３で開閉自在に取付けてある。
前記親扉２−１は通常時に開閉動作され、子扉２−２は大きな荷物を出し入れする際など特別の時に開閉動作されるので、開閉動作の頻度は少ない。
前記子扉２−２に照明４、インターフォン５、電子錠６が取付けてあり、子扉２−２が前述した扉２に相当する。
【００２１】
前記子扉２−２は室内側縦板２ｃと室外側縦板２ｄと前記吊元側端面板２ｂと戸先側端面板２ｅと上下横板２ｆ，２ｇで囲まれた中空矩形状で、その内部に芯材２５を設けて剛性を向上していると共に、芯材２５を設けない部分を前述の空洞部２ａとしてある。
前記子扉２−２は前述の形状に限ることはなく、任意の形状とすることができる。すなわち、フレキシブル管２０の長手方向一端部２０ｂから中間部２０ｃ（長手方向他端寄り）が入り込むことができる空洞部２ａを有する形状であれば良い。
【００２２】
前記子扉２−２は開閉される頻度が少なく、その子扉２−２に各電線を縦枠１２を通して配線することで、その電線、フレキシブル管２０の耐久性を向上することができる。
【００２３】
この実施の形態では、子扉２−２を枠体１に強固に固定して電気錠６による親扉２−１の施錠を確実なものにできるし、必要時には子扉２−２を簡単に固定解除して子扉２−２を開き動作できるようにする固定手段が設けてある。
例えば、図３と図５に示すように、上枠１０の下面１０ａに受け金具３０を固着して取付け、連結金具３１の連結片３２を受け金具３０のあり溝３０ａに嵌合して連結すると共に、その連結金具３１の取付片３３を子扉２−２の戸先側端面板２ｅにビス３４で固着して取付けることで子扉２−２の上部を上枠１０に固定している。
このようであるから、連結金具３１の連結片３２を受け金具３０のあり溝３０ａに嵌合することで取付片３３を子扉２−２の戸先側端面板２ａに接し、ビス３４を螺合することで子扉２−２の上部を上枠１０に固定でき、その固定する作業が簡単である。
また、前記ビス３４を緩めて連結片３２を受け金具３０のあり溝３０ａから抜き出すことで、子扉２−２の上部と上枠１０の固定を解除でき、その固定解除する作業が簡単である。
【００２４】
図３と図６に示すように、下枠１１の上面１１ａに受け金具４０を固着して取付け、連結金具４１の連結片４２を受け金具４０のあり溝４０ａに嵌合して連結すると共に、その連結金具４１の取付片４３を子扉２−２の戸先側端面板２ｅにビス４４で固着して取付けることで子扉２−２の下部を下枠１１に固定している。
このようであるから、連結金具４１の連結片４２を受け金具４０のあり溝４０ａに嵌合することで取付片４３を子扉２−２の戸先側端面板２ｅに接し、ビス４４を螺合することで子扉２−２の下部を下枠１１に固定でき、その固定する作業が簡単である。
また、前記ビス４４を緩めて連結片４２を受け金具４０のあり溝４０ａから抜き出すことで、子扉２−２の下部と下枠１１の固定を解除でき、その固定解除する作業が簡単である。
【００２５】
この実施の形態では上下の受け具３０，４０が同一形状で、上下の連結金具３１，４１が同一形状である。
なお、前記固定手段としては一般的なフランス落しを用いても良い。
【００２６】
次に、照明用電線７を配線する方法を工程順に説明する。
枠体１の吊元側の縦枠１２にフレキシブル管２０を挿通する。
この状態で枠体１を建物躯体１３に取付ける。
枠体１に扉２（親扉２−１、子扉２−２）をヒンジ３で開閉自在に取付ける。
前記縦枠１２に挿通してあるフレキシブル管２０の長手方向他端部２ｂを縦枠１２の第２穴２２から引き出し、扉２（子扉２−２）の第３穴２３から空洞部２ａ内に差し込む。
扉２（子扉２−２）を閉じ状態とし、照明用電線７を建物躯体１３側からフレキシブル管２０の長手方向一端部２０ａに挿通し、順次押し込むことで長手方向他端部２０ｂより突出し、扉２（子扉２−２）の空洞部２ａ内に挿入する。
前記照明用電線７を扉（子扉２−２）の室外側縦板２ｄに形成した開口２６より外部に引き出し、照明４に接続する。
最後に照明４を前記室外側縦板２ｄに取付ける。
【００２７】
このようであるから、枠体１の取付け、扉２の取付け、フレキシブル管２０の縦枠１２から扉２の空洞部２ａまで挿入する作業を通常の作業者が実施することができる。
そのままの状態で照明用電線７を配線するまで待機する。
そして、配線作業者が照明用電線７をフレキシブル管２０をガイドとして扉２の空洞部２ａまで挿入することができる。
前述の配線方法は照明用電線７にのみ限ることはなく、フレキシブル管２０を用いるのであれば、インターフォン用電線８、電気錠用電線９を同様に配線することができる。
また、縦枠１２と扉２の空洞部２ａに亘ってフレキシブル管２０を配設する手順は前述の手順に限ることはない。例えば、扉２を枠体１に取付けた後に、縦枠１２から扉２の空洞部２ａまでフレキシブル管２０を一度に挿入して配設しても良い。
【００２８】
要するに、本発明の配線方法は、建具の取付けとフレキシブル管２０の配設を行い、その後に電線をフレキシブル管２０をガイドとして縦枠１２側から扉２の空洞部２ａまで挿入して配線する方法である。
この配線方法によれば、建具の取付け作業、フレキシブル管２０の配設作業と電線の配線作業を時期をずらして行うことができるので、建具の取付け作業、フレキシブル管２０の配設作業を行う作業者と配線作業を行う作業者が異なる場合に有利である。
【図面の簡単な説明】
【００２９】
【図１】本発明の実施の形態を示す建具の概略外観図である。
【図２】図１のＡ−Ａ拡大詳細断面図である。
【図３】図１のＢ−Ｂ拡大詳細断面図である。
【図４】配線部分の斜視図である。
【図５】子扉上部の固定部分の斜視図である。
【図６】子扉下部の固定部分の斜視図である。
【符号の説明】
【００３０】
１…枠体、２…扉、２ａ…空洞部、２ｂ…吊元側縦板、３…ヒンジ、４…照明、５…インターフォン、６…電気錠、７…照明用電線、８…インターフォン用電線、９…電気錠用電線、１２…吊元側の縦枠、１３…建物躯体、２０…フレキシブル管、２０ａ…長手方向一端部、２０ｂ…長手方向他端部、２０ｃ…長手方向中間部、２１…第１穴、２２…第２穴、２３…第３穴、２４…ブッシュ。
【図１】
2008208637.tif 000003
【図２】
2008208637.tif 000004
【図３】
2008208637.tif 000005
【図４】
2008208637.tif 000006
【図５】
2008208637.tif 000007
【図６】
2008208637.tif 000008